(57)【要約】【課題】  利用者のスケジュールに適合した情報を的確に得ることができるとともに、利便性に優れる情報配信システムを提供すること。【解決手段】  利用者のスケジュールに関するスケジュールデータを記憶可能な端末機と、端末機と通信回線を介して接続された情報処理装置とを含んで構成され、端末機は、スケジュールデータを情報処理装置に送信するスケジュールデータ送信手段を備え、情報処理装置は、施設又は店舗に関する複数の店データを記憶する店データ記憶手段と、スケジュールデータを受信するスケジュールデータ受信手段と、店データ記憶手段により記憶されている複数の店データのなかから、受信したスケジュールデータの内容に適合する店データを検索する検索手段と、検索手段の検索結果に基づく店データを端末機に送信する送信手段とを備えたことを特徴とする情報配信システム。【選択図】    図７
2005301911.tif 000002
【特許請求の範囲】
【請求項１】
利用者のスケジュールに関するスケジュールデータを記憶可能な端末機と、前記端末機と通信回線を介して接続された情報処理装置とを含んで構成され、
前記端末機は、前記スケジュールデータを前記情報処理装置に送信するスケジュールデータ送信手段を備え、
前記情報処理装置は、施設又は店舗に関する複数の店データを記憶する店データ記憶手段と、前記端末機により送信されたスケジュールデータを受信するスケジュールデータ受信手段と、前記店データ記憶手段により記憶されている複数の店データのなかから、前記スケジュールデータ受信手段により受信したスケジュールデータの内容に適合する店データを検索する検索手段と、前記検索手段の検索結果に基づく店データを前記端末機に送信する送信手段とを備えたことを特徴とする情報配信システム。
【請求項２】
前記情報処理装置は、前記送信手段として、前記検索手段の検索結果に基づく店データを含むメールを前記端末機に対して送信するメール送信手段を備えたことを特徴とする請求項１に記載の情報配信システム。
【請求項３】
前記端末機は、前記送信手段による店データの送信を希望するか否かについての選択を可能とする選択画像を表示する表示手段を備えたことを特徴とする請求項１又は２に記載の情報配信システム。
【請求項４】
前記情報処理装置は、前記端末機による指示の入力に基づいて、前記送信手段により店データを送信するタイミングを設定するタイミング設定手段を備えたことを特徴とする請求項１〜３のいずれか１に記載の情報配信システム。
【請求項５】
利用者のスケジュールに関するスケジュールデータを記憶する端末機と、前記端末機と通信回線を介して接続された情報処理装置とを含んで構成される情報配信システムに適用される情報処理装置であって、
施設又は店舗に関する複数の店データを記憶する店データ記憶手段と、
前記端末機により送信されたスケジュールデータを受信するスケジュールデータ受信手段と、
前記店データ記憶手段により記憶されている複数の店データのなかから、前記スケジュールデータ受信手段により受信したスケジュールデータの内容に適合する店データを検索する検索手段と、
前記検索手段の検索結果に基づく店データを前記端末機に送信する送信手段と
を備えたことを特徴とする情報処理装置。
【発明の詳細な説明】
【技術分野】
【０００１】
本発明は、施設及び／又は店舗に関する情報を提供する情報配信システム、及び、当該情報配信システムに適用される情報処理装置に関する。
【背景技術】
【０００２】
従来、利用者のスケジュールに適合する施設や店舗に関する情報を得ようとする場合には、通常、インターネット上で検索エンジンを利用することや、インターネット上の会員制情報配信サイトを利用することが多い。
しかし、上記検索エンジンでは、利用者が入力したキーワードに基づく検索を行うことができるため、自由度が高い反面、目的の情報に検索結果を絞り込むことが困難であり、また、利用者が自発的に検索を行う必要があるため、利便性に劣るものであった。
また、上記会員制情報配信サイトでは、会員登録を行うことにより、所定の時期に自動的に情報が配信されるのであるが、利用者のスケジュールに適合しない情報までもが配信されるため、有用な情報を選別する手間がかかってしまい、やはり、利便性に劣るものであった。
【０００３】
また、従来、携帯端末機の位置情報と、サーバに登録された店舗等の位置情報とに基づいて、携帯端末機が或る店舗内に存在しないと判断した場合には、予約券やクーポン券を発行する一方、携帯端末機が上記店舗内に存在すると判断した場合には、当該店舗に設置された端末機にイベントの発生を依頼し、更に、携帯端末機にイベントの発生に関する情報を通知するように構成された情報配信システムが存在する（例えば、特許文献１参照）。
【０００４】
【特許文献１】特開２００３−１５０８４６号公報
【発明の開示】
【発明が解決しようとする課題】
【０００５】
しかしながら、上述した情報配信システムは、店舗において或るイベントが予定されるごとに、店舗がそのイベントについての情報をサーバに登録するように構成されているため、利用者は、イベントが予定されている店舗についての情報しか得ることができない。また、携帯端末機の位置情報、すなわち、利用者の現在位置に基づく情報しか得ることができないため、利用者のスケジュールに適合した情報を得ることができないという問題があった。
このような問題から、利用者のスケジュールに適合した情報を的確に得ることができるとともに、利便性に優れた情報配信システムの出現が望まれている。
【０００６】
本発明は上述した問題に鑑みてなされたものであり、その目的は、利用者のスケジュールに適合した情報を的確に得ることができるとともに、利便性に優れる情報配信システム、及び、当該情報配信システムに適用される情報処理装置を提供することにある。
【課題を解決するための手段】
【０００７】
上述した課題を解決するために、本発明は、以下のようなものを提供する。
（１）利用者のスケジュールに関するスケジュールデータを記憶可能な端末機と、上記端末機と通信回線を介して接続された情報処理装置とを含んで構成され、
上記端末機は、上記スケジュールデータを上記情報処理装置に送信するスケジュールデータ送信手段を備え、
上記情報処理装置は、施設又は店舗に関する複数の店データを記憶する店データ記憶手段と、上記端末機により送信されたスケジュールデータを受信するスケジュールデータ受信手段と、上記店データ記憶手段により記憶されている複数の店データのなかから、上記スケジュールデータ受信手段により受信したスケジュールデータの内容に適合する店データを検索する検索手段と、上記検索手段の検索結果に基づく店データを上記端末機に送信する送信手段とを備えたことを特徴とする情報配信システム。
【０００８】
（１）の発明によれば、上記検索手段により、店データ記憶手段に記憶されている複数の店データのなかから、受信したスケジュールデータの内容（例えば、場所、日時、予定事項等）に適合する店データが検索され、検索結果に基づく店データが端末機に送信されるため、利用者のスケジュールに適合した情報を的確に得ることが可能となる。
【０００９】
また、携帯電話機等が通常備えているスケジュール機能を用いてスケジュールを登録したときに、自動的に当該スケジュールに適合する検索結果に基づく店データが送信されるため、利用者が自発的に検索を行う必要がなく、利便性に優れたものとなる。
【００１０】
さらに、本発明は、以下のようなものを提供する。
（２）  上記（１）に記載の情報配信システムであって、
上記情報処理装置は、上記送信手段として、上記検索手段の検索結果に基づく店データを含むメールを上記端末機に対して送信するメール送信手段を備えたことを特徴とする。
【００１１】
（２）の発明によれば、利用者のスケジュールの内容に適合した店データについての検索結果を通知するメールが利用者の端末機に送信されるため、利用者は、所望のタイミングで当該メールの内容を見ることができ、利便性に優れたものとなる。
【００１２】
さらに、本発明は、以下のようなものを提供する。
（３）  上記（１）又は（２）に記載の情報配信システムであって、
上記端末機は、上記送信手段による店データの送信を希望するか否かについての選択を可能とする選択画像を表示する表示手段を備えたことを特徴とする。
【００１３】
（３）の発明によれば、利用者によるスケジュールの登録があったとき、又は、その後に、当該スケジュールの内容に適合した店データについての検索結果を通知するか否かについての選択を行うことができるため、利用者が所望する情報のみを得ることができ、より利便性に優れたものとなる。
【００１４】
さらに、本発明は、以下のようなものを提供する。
（４）  上記（１）〜（３）に記載の情報配信システムであって、
上記情報処理装置は、上記端末機による指示の入力に基づいて、上記送信手段により店データを送信するタイミングを設定するタイミング設定手段を備えたことを特徴とする。
【００１５】
（４）の発明によれば、検索手段による検索結果に基づく店データが端末機に送信される時間や条件等を指定することができるため、より利便性に優れたものとなる。
【００１６】
さらに、本発明は、以下のようなものを提供する。
（５）利用者のスケジュールに関するスケジュールデータを記憶する端末機と、上記端末機と通信回線を介して接続された情報処理装置とを含んで構成される情報配信システムに適用される情報処理装置であって、
施設又は店舗に関する複数の店データを記憶する店データ記憶手段と、
上記端末機により送信されたスケジュールデータを受信するスケジュールデータ受信手段と、
上記店データ記憶手段により記憶されている複数の店データのなかから、上記スケジュールデータ受信手段により受信したスケジュールデータの内容に適合する店データを検索する検索手段と、
上記検索手段の検索結果に基づく店データを上記端末機に送信する送信手段と
を備えたことを特徴とする情報処理装置。
【００１７】
（５）の発明によれば、上記検索手段により、店データ記憶手段に記憶されている複数の店データのなかから、受信したスケジュールデータの内容に適合する店データが検索され、検索結果に基づく店データが端末機に送信されるため、利用者のスケジュールに適合した情報を的確に得ることが可能となる。
【００１８】
また、携帯電話機等が通常備えているスケジュール機能を用いてスケジュールを登録したときに、自動的に当該スケジュールに適合する検索結果に基づく店データが送信されるため、利用者が自発的に検索を行う必要がなく、利便性に優れたものとなる。
【発明の効果】
【００１９】
本発明の構成によれば、利用者のスケジュールに適合した情報を的確に得ることができるとともに、利便性に優れたものとなる。
【発明を実施するための最良の形態】
【００２０】
以下、本発明の情報配信システムの実施形態について、図面を用いて説明する。
なお、本発明の情報配信システムを構成する情報処理装置は、施設又は店舗に関する複数の店データを記憶する店データ記憶手段と、端末機により送信されたスケジュールデータを受信するスケジュールデータ受信手段と、上記店データ記憶手段により記憶されている複数の店データのなかから、スケジュールデータ受信手段により受信したスケジュールデータの内容に適合する店データを検索する検索手段と、当該検索手段の検索結果に基づく店データを端末機に送信する送信手段とを備えており、本発明の情報処理装置と同様の構成となっている。そこで、以下においては、本発明の情報処理装置についても併せて説明することにする。
【００２１】
図１は、実施形態に係る情報配信システムのネットワーク構成の一例を模式的に示す概念図である。
実施形態に係る情報配信システム１０は、携帯電話機２０（２０ａ、２０ｂ）と、情報処理装置４０とから構成されている。
携帯電話機２０及び情報処理装置４０は、通信回線１６を介してインターネット１５に接続されており、互いにデータやプログラム等の情報の送受信が可能な状態にある。
なお、図１では、２つの携帯電話機２０が示されているが、情報処理装置４０と接続可能な携帯電話機２０の数は特に限定されるものではない。
【００２２】
携帯電話機２０は、利用者のスケジュールに関するスケジュールデータを記憶することが可能であるとともに、スケジュールデータを情報処理装置２４０に送信するスケジュールデータ送信手段を備えている。
なお、実施形態においては、端末機として携帯電話機が用いられる場合について説明するが、本発明に用いることができる端末機としては特に限定されるものではなく、携帯電話機のほかに、例えば、ＰＣ（パーソナル・コンピュータ）、ＰＤＡ（パーソナル・デジタル・アシスタンツ）等を挙げることができる。
【００２３】
情報処理装置４０は、携帯電話機２０により送信されたスケジュールデータを受信するスケジュールデータ受信手段と、施設又は店舗（以下、店舗等という）に関する複数の店データを記憶する店データ記憶手段と、店データ記憶手段により記憶されている複数の店データのなかから、スケジュールデータ受信手段により受信したスケジュールデータの内容に適合する店データを検索する検索手段と、検索手段の検索結果に基づく店データを携帯電話機２０に送信する送信手段とを備えている。
本発明に用いることができる情報処理装置としては、例えば、ＰＣ、専用端末機等を挙げることができる。また、上記情報処理装置は、複数台のＰＣや、専用端末機から構成されていてもよい。
【００２４】
図２は、図１に示した携帯電話機２０の構成の一例を模式的に示すブロック図である。
図２に示すように、携帯電話機２０は、制御部３０を備えている。
この制御部３０は、セントラル・プロセシング・ユニット（以下、ＣＰＵという）２１と、ＲＯＭ２２と、ＲＡＭ２３と、送受信部２４と、入出力バス２８と、入力信号回路２６と、ＬＦコントローラ／アンプ２７と、表示制御回路３６とを備えている。
【００２５】
入力信号回路２６に接続された入力装置２５は、利用者の操作を入力するための装置（例えば、１０キー等）であり、入出力バス２８を介してＣＰＵ２１に接続されている。
また、入出力バス２８は、ＲＯＭ２２及びＲＡＭ２３にも接続されている。ＲＯＭ２２及びＲＡＭ２３は、各種の画像を表示させるためのプログラム等を記憶することができる。
【００２６】
入出力バス２８には、送受信部２４も接続されている。この送受信部２４は、上述した通信回路１６を介して情報処理装置４０との通信を行うためのものである。また、入出力バス２８には、移動無線通信部３１とＬＦコントローラ／アンプ２７とが接続されており、ＬＦコントローラ／アンプ２７には、スピーカ３４及びマイクロフォン２９が接続されている。移動無線通信部３１は、アンテナ等を備えており、発呼信号の送信や着呼信号の受信等を行い、通話中には音声信号の送受信を行う。
また、入出力バス２８には、表示制御回路３６も接続されている。表示制御回路３６は、表示装置３２と接続されており、ＣＰＵ２１における演算処理の結果に応じて表示装置３２に表示信号を供給する。
【００２７】
さらに、入出力バス２８には、電話番号記憶部５３が接続されている。この電話番号記憶部５３には、入力装置２５を介して入力された相手先の電話番号やメールアドレス等が記憶される。
また、電話番号記憶部５３には、利用者のスケジュールに関するスケジュールデータが複数記憶される。
【００２８】
以下、電話番号記憶部５３に記憶されているスケジュールデータについて説明する。
図３は、電話番号記憶部５３に記憶されているスケジュールデータの一例を示す図である。
スケジュールデータは、「日時」、「相手」、「予定内容」、「イベント等」及び「場所」の５つの項目を有している。
【００２９】
例えば、相手「りょうこ」に係るスケジュールデータは、２月１４日（バレンタイン）の１８：００〜２１：００に大阪市内で夕食をとるという内容のスケジュールに関するスケジュールデータである。
また、相手「しんいち」に係るスケジュールデータは、２月１５日の１９：００〜２２：００に同窓会が行われ、京都市内で夕食をとるという内容のスケジュールに関するスケジュールデータである。
利用者は、携帯電話機２０の入力装置２５を操作することによりスケジュールデータを作成し、電話番号記憶部５３に記憶させることが可能である。
【００３０】
次に、本発明の情報配信システムに適用される情報処理装置について説明する。
図４は、図１に示した情報処理装置４０の構成の一例を模式的に示すブロック図である。
情報処理装置４０は、ハードディスクドライブ４８と、ＣＰＵ４２と、ＲＯＭ４４と、ＲＡＭ４６と、通信用インターフェイス回路４９とから構成されている。
【００３１】
通信用インターフェイス回路４９は、通信回線１６を介して携帯電話機２０（２０ａ、２０ｂ）とそれぞれ通信を行うためのものである。
ハードディスクドライブ４８は、施設又は店舗に関する複数の店データを記録する店データＤＢ（データベース）６０を備えている。ハードディスクドライブ４８は、複数の店データを記憶する店データ記憶手段として機能するものである。
この店データＤＢ６０については、後に図面（図５）を用いて詳述することにする。
【００３２】
また、ハードディスクドライブ４８は、携帯電話機２０との通信を行うためのプログラム、店データＤＢ６０に記録されている店データでのなかから、携帯電話機２０から送信されたスケジュールデータの内容に適合する店データの検索を行うためのプログラム等を記憶する。
【００３３】
次に、情報処理装置４０が備える店データＤＢ６０について説明する。
図５は、情報処理装置４０が備える店データＤＢ６０の一例を示す図である。
店データは、「ジャンル」、「店名／施設名」、「営業時間（開催日時）／休日」、「場所」及び「イベント等」の５つの項目を有している。
【００３４】
例えば、レストラン○○は、「ジャンル」が飲食店であり、「営業時間」が１０：００〜２：００で月曜休日であり、「場所」が大阪市●●区・・・であり、イベントとして２月１０日〜１４日までの期間においてバレンタインディナーの提供が行われている。
また、例えば、●●遊園地は、「ジャンル」が娯楽施設であり、「営業時間」が９：００〜１７：００で水曜休日であり、「場所」が大阪市△△区・・・であり、イベントとして誕生日又は結婚記念日の入園者に対して入園料が半額となるサービスの提供が行われている。
店舗又は施設の管理者等は、情報処理装置４０にアクセスを行い、店データＤＢ６０に店データの登録を行うことが可能である。
【００３５】
実施形態に係る情報配信システム１０では、携帯電話機２０の入力装置２５の操作により作成されたスケジュールデータを受信した情報処理装置４０が、当該スケジュールデータの内容に適合する店データを検索するのであるが、その際、スケジュールデータの項目「日時」は、店データの項目「営業時間（開催日時）／休日」に、スケジュールデータの項目「予定内容」は、店データの項目「ジャンル」に、スケジュールデータの項目「イベント等」は、店データの項目「イベント等」に、スケジュールデータの項目「場所」は、店データの項目「場所」にそれぞれ対応するものとして検索が行われる。
例えば、スケジュールデータの項目「予定内容」が「夕食」である場合には、対応する店データの項目「ジャンル」のなかから検索が行われ、検索結果として、項目「飲食店」を含むスケジュールデータが得られるのである。
【００３６】
以下、実施形態に係る情報配信システム１０を構成する携帯電話機２０において実行される処理について図６を用いて説明する。
図６は、図１に示した情報配信システムを構成する携帯電話機において実行される処理を示すフローチャートである。このサブルーチンは、携帯電話機２０の入力装置２５の操作によりスケジュールデータの作成を開始する旨の指示の入力があったときに呼び出されて実行されるサブルーチンである。
【００３７】
まず、携帯電話機２０のＣＰＵ２１は、スケジュール帳を起動させる（ステップＳ１００）。このステップＳ１００の処理が実行されると、スケジュールの日付の選択を可能とする画像が表示される。なお、この画像には、電話番号記憶部５３に既に記憶されているスケジュールデータの内容を示す画像も含まれる。
【００３８】
ステップＳ１００の処理を実行すると、次に、ＣＰＵ２１は、日付の選択指示があったか否かを判断する（ステップＳ１０１）。この処理において、ＣＰＵ２１は、ステップＳ１００の処理により、日付の選択を可能とする画像が表示されているときに、日付の選択の指示の入力があったか否かを判断する。
ステップＳ１０１において日付の選択指示がなかったと判断した場合、ＣＰＵ２１は、処理をステップＳ１０１に戻す。
【００３９】
一方、ステップＳ１０１において日付の選択指示があったと判断した場合、次に、ＣＰＵ２１は、スケジュール入力画像を表示する（ステップＳ１０２）。この処理において、ＣＰＵ２１は、入力装置２５の操作によるスケジュールデータの入力を可能とするスケジュール入力画像を表示装置３２に表示させる処理を実行する。このスケジュール入力画像については、後に図面（図８）を用いて詳述する。
【００４０】
ステップＳ１０２の処理を実行すると、次に、ＣＰＵ２１は、ステップＳ１０２の処理によりスケジュール入力画像が表示されているときに、スケジュールデータの各項目の内容が入力され、スケジュールデータが作成されたか否かを判断する（ステップＳ１０３）。ステップＳ１０３においてスケジュールデータが作成されていないと判断した場合、ＣＰＵ２１は、処理をステップＳ１０３に戻す。
【００４１】
一方、ステップＳ１０３においてスケジュールデータが作成されたと判断した場合、次に、ＣＰＵ２１は、時間帯が重複するスケジュールが存在するか否かを判断する（ステップＳ１０４）。この処理において、ＣＰＵ２１は、上述したステップＳ１０３において作成されたスケジュールデータと、電話番号記憶部５３に記憶されているスケジュールデータとについて、時間帯が重複するスケジュールに関するスケジュールデータが存在するか否かを判断する。
【００４２】
ステップＳ１０４において、時間帯が重複するスケジュールに関するスケジュールデータが存在すると判断した場合、次に、ＣＰＵ２１は、報知画像を表示する処理を実行する（ステップＳ１０５）。この処理において、ＣＰＵ２１は、上述したステップＳ１０３において作成されたスケジュールデータと、電話番号記憶部５３に記憶されているスケジュールデータとについて、時間帯が重複するスケジュールに関するスケジュールデータが存在する旨を報知する報知画像を表示装置３２に表示させる処理を実行する。
このステップＳ１０５の処理が実行されることにより、時間帯が重複するスケジュールに関するスケジュールデータが作成された場合には、その旨が報知されるため、所謂ダブルブッキングが起こることを防止することが可能となる。
【００４３】
ステップＳ１０５の処理を実行するか、又は、ステップＳ１０４において時間帯が重複するスケジュールに関するスケジュールデータが存在しないと判断した場合、次に、ＣＰＵ２１は、スケジュールデータの登録指示があったか否かを判断する（ステップＳ１０６）。この処理において、ＣＰＵ２１は、入力装置２５の操作により、上述したステップＳ１０３において作成されたスケジュールデータを、電話番号記憶部５３に記憶させる旨の指示の入力があったか否かを判断する。
ステップＳ１０６において、スケジュールデータの登録指示がなかったと判断した場合、本サブルーチンを終了する。
【００４４】
一方、ステップＳ１０６において、スケジュールデータの登録指示があったと判断した場合、次に、ＣＰＵ２１は、ステップＳ１０３において作成されたスケジュールデータを、電話番号記憶部５３に記憶させ（ステップＳ１０７）、その後、ステップＳ１０７において記憶されたスケジュールデータの内容を表示装置３２に表示させる処理を実行する（ステップＳ１０８）。
【００４５】
ステップＳ１０８の処理を実行すると、次に、ＣＰＵ２１は、選択画像表示処理を実行する（ステップＳ１０９）。この処理において、ＣＰＵ２１は、ステップＳ１０３において作成されたスケジュールデータの内容に適合する店データを含むメールの送信を希望するか否かについての選択を可能とする選択画像を表示装置３２に表示させる処理を実行する。
このステップＳ１０９の処理を実行するとき、携帯電話機２０は、店データの送信を希望するか否かについての選択を可能とする選択画像を表示する表示手段として機能する。なお、この選択画像について、後に図面（図８）を用いて詳述する。
【００４６】
ステップＳ１０９の処理を実行すると、次に、ＣＰＵ２１は、情報処理装置４０による上記メールの送信を希望するか否かについての選択の指示の入力があったか否かを判断する（ステップＳ１１０）。この処理において、ＣＰＵ２１は、ステップＳ１０９の処理により選択画像が表示されているときに、入力装置２５により、上記メールの送信を希望するか否かについての選択の指示の入力があったか否かを判断する。
ステップＳ１１０において、上記メールの送信を希望するか否かについての選択の指示の入力がなかったと判断した場合、ＣＰＵ２１は、処理をステップＳ１１０に戻す。
【００４７】
一方、ステップＳ１１０において、上記メールの送信を希望するか否かについての選択の指示の入力があったと判断した場合、次に、ＣＰＵ２１は、ステップＳ１１０において入力があったと判断した選択の指示が、上記メールの送信を希望する旨の指示であったか否かを判断する（ステップＳ１１１）。
ステップＳ１１１において上記メールの送信を希望する旨の指示ではなかったと判断した場合、本サブルーチンを終了する。
【００４８】
一方、ステップＳ１１１において上記メールの送信を希望する旨の指示であったと判断した場合、次に、ＣＰＵ２１は、タイミング選択画像を表示する（ステップＳ１１２）。この処理において、ＣＰＵ２１は、情報処理装置４０が上記メールを送信するタイミングを入力装置２５の操作により入力可能とするタイミング入力画像を、表示装置３２に表示させる処理を実行する。なお、このタイミング入力画像については、後に図面（図８）を用いて詳述する。
【００４９】
ステップＳ１１２の処理を実行すると、次に、ＣＰＵ２１は、ステップＳ１１２の処理によりタイミング選択画像が表示されているときに、入力装置２５によるタイミングの入力があったか否かを判断する（ステップＳ１１３）。ステップＳ１１３においてタイミングの入力がなかったと判断した場合、ＣＰＵ２１は、処理をステップＳ１１３に戻す。
【００５０】
一方、ステップＳ１１３においてタイミングの入力があったと判断した場合、次に、ＣＰＵ２１は、上述したステップＳ１０３において作成されたスケジュールデータ、及び、ステップＳ１１３において入力されたタイミングに関するタイミングデータを、情報処理装置４０に送信する処理を実行する（ステップＳ１１４）。ステップＳ１１４の処理を実行すると、本サブルーチンを終了する。このステップＳ１１４の処理を実行するとき、携帯電話機２０は、スケジュールデータ送信手段として機能する。
【００５１】
以下、実施形態に係る情報配信システム１０を構成する情報処理装置４０において実行される処理について図７を用いて説明する。
図７は、図１に示した情報配信システムを構成する情報処理装置において実行される処理を示すフローチャートである。このサブルーチンは、予め実行されているメインルーチンから所定のタイミングで呼び出されて実行されるサブルーチンである。
【００５２】
まず、情報処理装置４０のＣＰＵ４２は、スケジュールデータ及びタイミングデータを携帯電話機２０から受信したか否かを判断する（ステップＳ２００）。この処理において、ＣＰＵ４２は、図６に示したサブルーチンのステップＳ１１４において携帯電話機２０が送信したスケジュールデータ及びタイミングデータを受信したか否かを判断する。
【００５３】
ステップＳ２００において、スケジュールデータ及びタイミングデータを受信したと判断した場合、次に、ＣＰＵ４２は、タイミングデータをＲＡＭ４６に記憶させる処理を実行する（ステップＳ２０１）。このステップＳ２０１の処理を実行するとき、情報処理装置４０は、タイミング設定手段として機能する。
ステップＳ２０１の処理を実行すると、次に、ＣＰＵ４２は、検索実行処理を行う（ステップＳ２０２）。この処理において、ＣＰＵ４２は、ステップＳ２００において携帯電話機２０から受信したスケジュールデータに基づいて、店データＤＢ６０に登録されている店データのなかから、当該スケジュールデータに適合する店データを検索する処理を実行する。このステップＳ２０２の処理を実行するとき、情報処理装置４０は、検索手段として機能する。
【００５４】
ステップＳ２０２の処理を実行するか、又は、ステップＳ２００においてスケジュールデータ及びタイミングデータを受信していないと判断した場合、次に、ＣＰＵ４２は、メール送信のタイミングであるか否かを判断する（ステップＳ２０３）。この処理において、ＣＰＵ４２は、上述したステップＳ２０１の処理によりＲＡＭ４６に記憶されているタイミングデータに基づいて、ステップＳ２０２の処理による検索結果に基づく店データを含むメールを、携帯電話機２０に対して送信するタイミングであるか否かを判断する（ステップＳ２０３）。
【００５５】
ステップＳ２０３において、メール送信のタイミングであると判断した場合、次に、ＣＰＵ４２は、ステップＳ２０２の処理による検索結果に基づく店データを含むメールを、携帯電話機２０に対して送信する処理を実行する（ステップＳ２０４）。このステップＳ２０４の処理を実行するとき、情報処理装置４０は、検索結果に基づく店データを携帯電話機２０に送信する送信手段として機能する。
ステップＳ２０４の処理を実行するか、又は、ステップＳ２０３においてメール送信のタイミングではないと判断した場合、本サブルーチンを終了する。
【００５６】
次に、図６に示したサブルーチンが実行されているときに、携帯電話機２０の表示装置３２に表示される画像について図８を用いて説明する。
図８（ａ）〜（ｆ）は、携帯電話機２０の表示装置３２に表示される画面画像の一例を模式的に示す図である。
【００５７】
図８（ａ）に示す画面画像は、図６に示したサブルーチンのステップＳ１００において表示される画像である。
図８（ａ）に示す画面画像には、カレンダーを模した画像が表示されており、当該画像の２月１５日の日付に対応する部分には、電話番号記憶部５３に記憶されているスケジュールデータの内容を示す画像が表示されている。
この画面画像が表示されているときに、入力装置２５の操作により、スケジュールデータの作成を行う日付（２月１４日）の選択の指示の入力があったときには、次に、図８（ｂ）に示す画面画像が表示される。
【００５８】
図８（ｂ）に示す画面画像は、図６に示したサブルーチンのステップＳ１０２において表示されるスケジュール入力画像である。
図８（ｂ）に示す画面画像には、スケジュールに係る５つの項目の入力欄が表示されており、上から順に、相手の入力欄、日時の入力欄、予定内容の入力欄、場所の入力欄及びイベントの入力欄がそれぞれ表示されている。
この画面画像が表示されているときに、入力装置２５の操作により各入力欄への入力が行われ、スケジュールデータが作成されると、次に、図８（ｃ）に示す画面画像が表示される。
【００５９】
図８（ｃ）に示す画面画像は、図６に示したサブルーチンのステップＳ１０８において表示される画像である。
図８（ｃ）に示す画面画像は、図８（ａ）に示した画面画像と略同様であるが、電話番号記憶部５３に新たに記憶されたスケジュールデータの内容を示す画像が追加されている。
この画面画像が表示された後、次に、図８（ｄ）に示す画面画像が表示される。
【００６０】
図８（ｄ）に示す画面画像は、図６に示したサブルーチンのステップＳ１０９において表示される選択画像である。
図８（ｄ）に示す画面画像には、作成されたスケジュールデータの内容に適合する店データを含むメールの送信を希望するか否かについての選択を促す画像が表示され、その下側には、当該選択を行うための選択肢を示す画像が表示されている。
この画面画像が表示されているときに、入力装置２５の操作により、上記メールの送信を希望する旨の選択が行われると、次に、図８（ｅ）に示す画面画像が表示される。
【００６１】
図８（ｅ）に示す画面画像は、図６に示したサブルーチンのステップＳ１１２において表示されるタイミング入力画像である。
図８（ｅ）に示す画面画像の上側には、上記メールを送信する日時の入力を促す画像が表示され、その下側には、当該日時の入力欄が表示されている。
この画面画像が表示されているときに、入力装置２５の操作により、各入力欄への入力が行われると、入力された日時に関するタイミングデータと、作成されたスケジュールデータとが情報処理装置４０に対して送信される。そして、タイミングデータとスケジュールデータとを受信した情報処理装置４０は、当該スケジュールデータに適合する店データの検索を行い、上記日時に達すると、検索結果に基づく店データを含むメールを携帯電話機２０に対して送信するのである。
そして、携帯電話機２０が当該メールを受信すると、次に、図８（ｆ）に示す画面画像が表示される。
【００６２】
図８（ｆ）に示す画面画像は、図７に示したサブルーチンのステップＳ２０４の処理により送信されたメールの内容を示す画像である。
図８（ｆ）に示す画面画像には、情報処理装置４０による検索結果に基づく店データのなかの一の店データの内容が表示されている。すなわち、図８（ｂ）に示した画面画像が表示されているときに、各入力欄への入力が行われて作成されたスケジュールデータに適合する一の店データの内容が表示されているのである。
【００６３】
図１〜図８を用いて説明したように、実施形態に係る情報配信システム１０では、店データＤＢ６０に登録されている複数の店データのなかから、受信したスケジュールデータの内容、すなわち、スケジュールデータの各項目の内容に適合する店データが検索され、検索結果に基づく店データを含むメールが携帯電話機２０に送信されるため、利用者のスケジュールに適合した情報を的確に得ることが可能となる。
また、携帯電話機２０が備えているスケジュール機能を用いてスケジュールデータを作成すると、その後、自動的に当該スケジュールに適合する店データを含むメールが送信されるため、利用者が自発的に検索を行う必要がなく、利便性に優れたものとなる。
【００６４】
また、実施形態に係る情報配信システム１０では、作成されたスケジュールデータに適合する店データを含むメールが携帯電話機２０に送信されるため、利用者は、受信したメークの内容を所望のタイミングで見ることができ、利便性に優れたものとなる。
【００６５】
また、実施形態に係る情報配信システム１０では、上記選択画像が表示され、情報処理装置４０からのメールの送信を希望するか否かについての選択を行うことが可能となるため、利用者が所望する情報のみを得ることができ、利便性に優れたものとなる。
【００６６】
また、実施形態に係る情報配信システム１０では、情報処理装置４０により上記メールが送信される日時を指定することが可能となるため、利便性に優れたものとなる。
【００６７】
上述した例では、情報処理装置による検索結果に基づく店データを送信する日時を設定可能であるように情報配信システムが構成されている場合について説明したが、本発明では、店データを送信する条件を設定可能であるように情報配信システムが構成されていてもよい。
例えば、検索結果に基づく店データの数が所定数以上であったことを受けて、当該店データを携帯電話機に送信するように情報配信システムが構成されていてもよい。
【００６８】
また、上述した例では、情報処理装置が、携帯電話機からスケジュールデータを受信した直後に店データの検索を行う場合について説明したが、本発明において、情報処理装置が備える検索手段が検索を行うタイミングとしては特に限定されるものではなく、例えば、情報処理装置が携帯電話機に対して店データを送信する直前に検索を行うこととしてもよい。このようにすることにより、最新の検索結果を得ることが可能となる。
【００６９】
また、本発明では、携帯電話機から送信されたスケジュールデータに基づいて、検索手段による検索を所定の時間毎（例えば、１日毎）に行い、検索結果が更新されたことに応じて、新たな検索結果を携帯電話機に対して送信するように情報配信システムが構成されていてもよい。また、検索結果が更新されたときに、更新された検索結果を携帯電話機に対して送信するか否かについての選択が可能となるように情報配信システムが構成されていてもよい。
【００７０】
また、上述した例では、検索手段の検索結果に基づく店データが、メールにより携帯電話機に通知されるように情報配信システムが構成されている場合について説明したが、本発明では、必ずしもメールによる検索結果の通知を行う必要はない。
【００７１】
また、上述した例では、携帯電話機２０の入力装置２５の操作により作成されたスケジュールデータが情報処理装置に対して送信される場合について説明したが、本発明では、携帯電話機に既に記憶されているスケジュールデータのなかのいずれかを情報処理装置に対して送信することができるように携帯電話機が構成されていてもよい。
【図面の簡単な説明】
【００７２】
【図１】実施形態に係る情報配信システムのネットワーク構成の一例を模式的に示す概念図である。
【図２】図１に示した携帯電話機の構成の一例を模式的に示すブロック図である。
【図３】図１に示した携帯電話機の電話番号記憶部に記憶されているスケジュールデータの一例を示す図である。
【図４】図１に示した情報処理装置の構成の一例を模式的に示すブロック図である。
【図５】図１に示した情報処理装置が備える店データＤＢの一例を示す図である。
【図６】図１に示した携帯電話機において実行される処理を示すフローチャートである。
【図７】図１に示した情報処理装置において実行される処理を示すフローチャートである。
【図８】（ａ）〜（ｆ）は、図１に示した携帯電話機の表示装置に表示される画面画像の一例を模式的に示す図である。
【符号の説明】
【００７３】
１０  情報配信システム
１５  インターネット
１６  通信回線
２０（２０ａ、２０ｂ）  携帯電話機
２１、４２  ＣＰＵ
２２、４４  ＲＯＭ
２３、４６  ＲＡＭ
２５  入力装置
３２  表示装置
４０  情報処理装置
４８  ハードディスクドライブ
５３  電話番号記憶部
６０  店データＤＢ
【図１】
2005301911.tif 000003
【図２】
2005301911.tif 000004
【図３】
2005301911.tif 000005
【図４】
2005301911.tif 000006
【図５】
2005301911.tif 000007
【図６】
2005301911.tif 000008
【図７】
2005301911.tif 000009
【図８】
2005301911.tif 000010